(57)【要約】【課題】  環流型の紙幣取扱装置において、偽券および真偽不明な紙幣、即ち非真券が発見された時の分別回収の容易化を図る。【解決手段】  紙幣取扱装置において、環流用の紙幣を保管する環流庫や環流に適さない紙幣を保管するリジェクトボックスとは別に、非真券を分別回収するための非真券収納庫１２４を設ける。非真券収納庫１２４は、環流庫およびリジェクトボックスを収納する金庫部の外部において、鑑別部１２６と一時保管庫１２２の間から分岐して収納可能な位置に設ける。入金時には、鑑別部１２６を通過した後、真券および非真券ともに一時保管庫１２２に一旦収納する。その後、一時保管庫１２２から繰り出しながら、真券は環流庫へ、非真券は非真券収納庫１２４に回収する。出金時も鑑別部１２６を通過した後、同様の手順で非真券収納庫１２４に非真券を分別回収する。【選択図】  図５
2005092422.tif 000002
【特許請求の範囲】
【請求項１】
環流型の紙幣取扱装置であって、
紙幣の真偽を鑑別するための鑑別部と、
環流に用いられる紙幣を収納する環流庫を内蔵する金庫部と、
真正な紙幣のうち環流に適さない紙幣を収納するための廃券収納庫と、
前記金庫外に前記廃券収納庫とは別に設けられ、前記鑑別部によって真正な紙幣と判断されなかった非真券を収納するための非真券収納庫と、
前記環流庫、廃券収納庫、および非真券収納庫への紙幣の収納過程において、一時的に紙幣を収納するための一時保管庫と、
該紙幣取扱装置内で前記紙幣を搬送するための搬送路とを備え、
前記非真券収納庫の入口は、前記搬送路のうち、前記鑑別部と一時保管庫とをつなぐ区間に接続されている紙幣取扱装置。
【請求項２】
請求項１記載の紙幣取扱装置であって、
前記搬送路の動作を制御する搬送制御部を備え、
該搬送制御部は、前記鑑別部を前記一時保管庫に向かって紙幣が通過する際に発見された前記非真券を、一旦、前記一時保管庫に収納した後、該一時保管庫から前記非真券収納庫に移送する制御を行う紙幣取扱装置。
【請求項３】
請求項２記載の紙幣取扱装置であって、
前記紙幣を入金するための入金口を有し、
前記搬送制御部は、前記入金口に挿入された紙幣を計数するために前記入金口から前記鑑別部を通過して前記一時保管庫に搬送する入金計数処理時に、前記制御を実行する紙幣取扱装置。
【請求項４】
請求項２記載の紙幣取扱装置であって、
前記鑑別部から前記一時保管庫への搬送路から分岐して、該搬送路上の紙幣を出金するための出金口を有し、
前記搬送制御部は、前記環流庫から前記鑑別部を通過して前記出金口に前記紙幣を搬送する出金処理時に、前記制御を実行する紙幣取扱装置。
【請求項５】
請求項１記載の紙幣取扱装置であって、
前記搬送路の動作を制御する搬送制御部を備え、
該搬送制御部は、前記鑑別部を前記一時保管庫側から紙幣が通過する際に発見された前記非真券を、一旦、前記環流庫または前記廃券収納庫に収納した後、前記非真券収納庫に移送する制御を行う紙幣取扱装置。
【請求項６】
請求項５記載の紙幣取扱装置であって、
前記搬送路は、前記環流庫から前記非真券収納庫に前記一時保管庫を介さずに搬送可能に構成されており、
前記搬送制御部は、前記移送時には前記一時保管庫を介さずに収納するよう前記搬送路を制御する紙幣取扱装置。
【請求項７】
請求項５記載の紙幣取扱装置であって、
前記紙幣を入金するための入金口を有し、
前記搬送制御部は、前記入金口に挿入された紙幣を前記一時保管庫に搬送した後、該一時保管庫に保管された紙幣を前記環流庫に収納する入金収納時に、前記制御を実行する紙幣取扱装置。
【請求項８】
請求項１〜７いずれか記載の紙幣取扱装置であって、
前記非真券について、該紙幣取扱装置に前記非真券を投入した投入者を特定する情報を、出所情報として取得する出所情報取得部と、
前記非真券収納庫に収納される各非真券に対応づけて、前記出所情報を管理する出所情報管理部とを備える紙幣取扱装置。
【請求項９】
紙幣取扱装置であって、
紙幣を収納する収納庫と、
前記収納庫への紙幣の収納過程において、一時的に紙幣を収納するための一時保管庫と、
該紙幣取扱装置内で前記紙幣を搬送するための搬送路と、
少なくとも前記一時保管庫から前記収納庫へ紙幣を搬送し収納する入金収納処理の過程で、該紙幣の真偽を鑑別するための鑑別部と、
前記紙幣取扱装置への入金を伴う取引について、前記入金収納の完了を待ってから、該取引の完了を利用者に通知する通知部とを備える紙幣取扱装置。
【請求項１０】
紙幣を入金するための入金口と、
紙幣の真偽を鑑別するための鑑別部と、
一時的に紙幣を保管するための一時保管庫と、
前記鑑別部で、真正な紙幣と判断されなかった非真券を収納するための非真券収納庫と、
紙幣を搬送するための搬走路を有する紙幣取扱装置であって、
前記入金口に挿入された紙幣を計数する際に、前記鑑別部で、真正な紙幣と判断される真券、還流に適さないと判断される廃券、真正な紙幣と判断できない非真券とに区別し、それらを一旦、一時保管庫にすべて収納した後、非真券を非真券回収庫に収納する制御を実行する紙幣取扱装置。
【請求項１１】
請求項１０記載の紙幣取扱装置であって、紙幣を計数する際に、前記紙幣の区別を記憶し、その記憶に基づき、非真券を非真券回収庫に収納する制御を実行する紙幣取扱装置。
【請求項１２】
環流型の紙幣取扱装置の動作を制御する制御方法であって、
該紙幣取扱装置は、
紙幣の真偽を鑑別するための鑑別部と、
環流に用いられる紙幣を収納する環流庫を内蔵する金庫部と、
真正な紙幣のうち環流に適さない紙幣を収納するための廃券収納庫と、
前記金庫外に前記廃券収納庫とは別に設けられ、前記鑑別部によって真正な紙幣と判断されなかった非真券を収納するための非真券収納庫と、
前記環流庫、廃券収納庫、および非真券収納庫への紙幣の収納過程において、一時的に紙幣を収納するための一時保管庫と、
該紙幣取扱装置内で前記紙幣を搬送するための搬送路とを備えるとともに、
前記非真券収納庫の入口は、前記搬送路のうち、前記鑑別部と一時保管庫とをつなぐ区間に接続されており、
該制御方法は、
前記鑑別部を前記一時保管庫に向かって搬送される紙幣の真偽を鑑別するステップと、
該鑑別により非真券と判断された紙幣について、一旦、前記一時保管庫に収納させるステップと、
該一時保管庫から前記非真券収納庫に移送するステップとを備える紙幣取扱装置の制御方法。
【請求項１３】
環流型の紙幣取扱装置の動作を制御する制御方法であって、
該紙幣取扱装置は、
紙幣の真偽を鑑別するための鑑別部と、
環流に用いられる紙幣を収納する環流庫を内蔵する金庫部と、
真正な紙幣のうち環流に適さない紙幣を収納するための廃券収納庫と、
前記金庫外に前記廃券収納庫とは別に設けられ、前記鑑別部によって真正な紙幣と判断されなかった非真券を収納するための非真券収納庫と、
前記環流庫、廃券収納庫、および非真券収納庫への紙幣の収納過程において、一時的に紙幣を収納するための一時保管庫と、
該紙幣取扱装置内で前記紙幣を搬送するための搬送路とを備えるとともに、
前記非真券収納庫の入口は、前記搬送路のうち、前記鑑別部と一時保管庫をつなぐ区間に接続されており、
該制御方法は、
前記鑑別部を前記一時保管庫側から搬送される紙幣の真偽を鑑別するステップと、
該鑑別により非真券と判断された紙幣について、一旦、前記環流庫に収納させるステップと、
該環流庫から前記非真券収納庫に移送するステップとを備える紙幣取扱装置の制御方法。
【請求項１４】
紙幣取扱装置の動作を制御する制御方法であって、
該紙幣取扱装置は、
紙幣を収納する収納庫と、
前記収納庫への紙幣の収納過程において、一時的に紙幣を収納するための一時保管庫と、
該紙幣取扱装置内で前記紙幣を搬送するための搬送路と、
該紙幣の真偽を鑑別するための鑑別部とを備え、
該制御方法は、
前記紙幣取扱装置への入金を伴う取引において、該入金された紙幣を前記一時保管庫に、一旦、収納させるステップと、
前記一時保管庫から前記収納庫へ紙幣を搬送し収納する入金収納を行うステップと、
前記入金収納の完了を待ってから、該取引の完了を利用者に通知するステップとを備える制御方法。
【発明の詳細な説明】
【技術分野】
【０００１】
本発明は、紙幣の入出金を行う紙幣取扱装置に関する。
【背景技術】
【０００２】
金融機関等でユーザに対する入出金に利用される現金自動取引装置（以下、ＡＴＭという）は、紙幣の入出金を行うための紙幣取扱装置を内蔵している。紙幣取扱装置には、入金された紙幣を、別の取引での出金に再利用する型、いわゆる環流型と呼ばれる装置がある。環流型の紙幣取扱装置は、次の動作によって入出金を行う。
【０００３】
入金時には、紙幣取扱装置は、入金口から繰り出された紙幣の金種・真偽を鑑別して、入金された金額を計数する。この際、真券と判断された紙幣は一時保管庫に保管され、その他の紙幣は入出金口に返却される。この動作を「入金計数」と称する。その後、ユーザが入金金額を確認すると、紙幣取扱装置は、一時保管庫に保管されていた紙幣を、金種ごとに環流用の保管庫（以下、「環流庫」と称する）に収納する。これと併せて、ＡＴＭは、入金金額、口座情報などを、ホストコンピュータに通知する。この動作を「入金収納」と称する。出金時には、指定された金額に相当する紙幣を、各金種の環流庫から出金口に繰り出す。
【０００４】
紙幣取扱装置に投入された紙幣には、環流に適さないものも含まれる。かかる紙幣としては、例えば、損傷が激しい真券、偽券、鑑別によって偽券の疑いがあると判断された不明券などが挙げられる。入金計数時にこれらの紙幣が発見された場合には、その紙幣は、入出金口に返却される。入金収納時にこれらの紙幣が発見された場合には、その紙幣は、環流庫とは別に設けられたリジェクトボックスと呼ばれる回収庫に回収される。リジェクトボックスの紙幣は、以後の環流には使用されない。上述した環流型の紙幣取扱装置の構造および動作は、例えば、特許文献１などに開示されている。
【０００５】
【特許文献１】特開２００３−０５１０５０号公報
【発明の開示】
【発明が解決しようとする課題】
【０００６】
近年、偽券の精度が向上してきており、その流通阻止が望まれている。このため、例えば、偽券や不明券（以下、両者をまとめて「非真券」と総称する）については、損傷が激しい真券とは別に回収し、偽券の流通抑制に有効活用することが検討されている。活用方法としては、例えば、回収された非真券を詳細に鑑別し偽券に関する情報を収集したり、口座番号などの情報に基づいて非真券を投入した利用者を特定したりする方法が挙げられる。
【０００７】
従来の紙幣取扱装置は、このような活用方法に必ずしも適しているとは言えなかった。本発明は、かかる課題を考慮し、環流型の紙幣取扱装置において、非真券を効率的に回収可能とすることを目的とする。
【課題を解決するための手段】
【０００８】
本発明の紙幣取扱装置は、紙幣の真偽を鑑別する鑑別部、紙幣を収納する収納庫、紙幣取扱装置内で紙幣を搬送するための搬送路を備える。紙幣を収納する収納庫は、環流庫、廃券収納庫、非真券収納庫、一時保管庫の４通りを有している。
【０００９】
環流庫は、環流に用いられる紙幣を収納するための保管庫であり、金庫部に内蔵されている。環流を円滑に行うため、金種ごとに環流庫を用意することが好ましい。廃券収納庫は、真正な紙幣のうち環流に適さない紙幣を収納する。かかる紙幣としては、例えば、損傷が激しい紙幣、搬送時の姿勢が極端にシフトやスキューしている紙幣が含まれる。廃券収納庫は、金庫部の内外のいずれに設けることも可能であるが、真券が収納されることを考えると、セキュリティ上、金庫部内に設ける方が好ましい。一時保管庫は、環流庫、廃券収納庫、および非真券収納庫への紙幣の収納過程において、一時的に紙幣を収納する。
【００１０】
非真券収納庫は、金庫部外に設けられ、鑑別部によって真正な紙幣と判断されなかった非真券、即ち偽券および不明券を収納する。非真券収納庫は廃券収納庫とは別に設けられるため、本発明では、環流に適さない紙幣を収納する収納庫として、非真券収納庫と廃券収納庫の２種類を備えていることになる。非真券収納庫の入口は、搬送路のうち、鑑別部と一時保管庫とをつなぐ区間に接続される。入口が、搬送路に直接接続される構造としてもよいし、鑑別部と一時保管庫をつなぐ搬送路から分岐した搬送路を介して間接的に接続される構成としてもよい。
【００１１】
かかる構造を適用することにより、本発明の紙幣取扱装置には、次の利点がある。廃券収納庫とは別に、非真券収納庫を設けたため、非真券のみを分別して回収することができる。非真券収納庫は、金庫部外に設けられているため、回収は比較的容易である。非真券収納庫を鑑別部と一時保管庫をつなぐ区間で搬送路に接続することにより、両者間での搬送過程で、紙幣を非真券収納庫に分別収納することができる。かかる部位での収納は、少なくとも一時保管庫を用いる紙幣取扱装置では、装置の小型化、分別収納時の搬送制御の簡略化などの観点から、実用上の有用性が高いことが見いだされた。
【００１２】
本発明において、非真券収納庫への非真券を収納するためには、発見されたタイミングに応じて次に示す方法で搬送路を制御すればよい。鑑別部を一時保管庫に向かって紙幣が通過する際に、非真券が発見された場合を考える。一時保管庫に向かって紙幣が通過するタイミングとしては、例えば、入金口から鑑別部を通過して一時保管庫に紙幣を搬送する入金計数処理時が挙げられる。また、鑑別部から一時保管庫への搬送路から分岐して出金口が設けられている場合には、環流庫から鑑別部を通過して出金口に紙幣を搬送する出金処理時も含まれる。
【００１３】
かかるタイミングで非真券が発見された場合、鑑別部から直接、非真券収納庫に搬送する方法を採ることができる。但し、かかる制御を適用する場合には、鑑別部を通過した後、非真券収納庫への分岐点に至るまで紙幣が搬送されるのに要する時間が、真偽鑑別の所要時間よりも長くなくてはならない。この関係を実現するための方法として、例えば、搬送速度を十分に遅くする方法、分岐点と鑑別部の間の搬送路を十分に長くする方法などを採ることができる。
【００１４】
別の制御方法として、一旦、非真券を一時保管庫に収納した後、一時保管庫から非真券収納庫に移送する方法を採ってもよい。この制御方法によれば、上述の時間的な制約が不要となる。従って、搬送路を無用に長くしたり、搬送速度を無用に低下させるなどの弊害を回避することができる。
【００１５】
次に、鑑別部を前記一時保管庫側から紙幣が通過する際に非真券が発見された場合を考える。かかるタイミングとしては、例えば、一時保管庫に保管された紙幣を環流庫に収納する入金収納時が含まれる。
【００１６】
このタイミングに対しては、非真券を、一旦、環流庫または廃券収納庫に収納した後、非真券収納庫に移送する制御を採ることができる。非真券収納庫への移送時に紙幣を精度良く繰り出すことができるという点で、環流庫を用いることが好ましい。紙幣取扱装置に複数の環流庫が備えられている場合、非真券を一時的に格納するために利用する環流庫は、金種と無関係に選択可能である。環流庫から非真券収納庫への移送時には、更に、一時保管庫に一旦保管した後、非真券収納庫に移送する方法、一時保管庫を介さずに非真券収納庫に移送する方法のいずれを適用してもよい。前者の場合は、非真券収納庫への収納は一時保管庫から鑑別部への搬送過程でのみ行われることになるため、非真券収納庫への分岐点の構造を簡略化することができる。後者の場合は、移送時の搬送時間を短縮することができる。
【００１７】
本発明の紙幣取扱装置においては、非真券収納庫に収納される各非真券に対応づけて、その出所情報を取得し、管理してもよい。出所情報としては、非真券を投入した投入者を特定する情報、例えば、口座番号などを用いることができる。例えば、入出金口に投入された紙幣から非真券が発見された場合には、この情報は取引時に用いられる情報の一部として容易に特定可能である。出所情報には、非真券が繰り出された環流庫を特定する情報も含めても良い。出金時に非真券が発見された場合には、非真券の投入者を直接的に特定することはできないため、環流庫を出所情報として用いることにより、非真券の出所の推測に活用することができる。更に、各環流庫に収納される各紙幣について、投入者を特定可能な情報を管理しておき、この情報を参照することで、環流庫からの出金時に発見された非真券の投入者を特定可能としてもよい。
【００１８】
紙幣取扱装置、またはそれを利用した自動取引装置では、取引の完了を利用者に通知するのが通常である。通知は、何らかの表示や音声で行っても良いし、カードや通帳など取引に使用される媒体の返却によって行っても良い。本発明においてもこの通知は種々のタイミングで実行可能である。入金を伴う取引について入金収納時に鑑別を行う場合には、通知を入金収納の完了まで待つようにしてもよい。こうすることにより、入金収納時に非真券が発見された場合に備えて、利用者を装置近辺に留めておくことができる。かかる構成は、環流型、非環流型を問わずに適用可能である。入金計数時の鑑別は省略しても差し支えない。但し、入金計数時に鑑別を行う場合には、その結果を利用し、非真券が発見にのみ上記制御、即ち、入金収納の完了まで通知を待つという制御を行うようにしてもよい。入金計数時に非真券が発見されなかった場合には、入金収納の完了を待つまでなく、取引を完了することができ、取引時間の短縮を図ることが可能となる。取引の完了通知を入金収納の完了まで待つという制御は、先に説明した種々の処理と併用することが可能である。
【００１９】
本発明は、入金口に挿入された紙幣を計数する際に、鑑別部で、真正な紙幣と判断される真券、還流に適さないと判断される廃券、真正な紙幣と判断できない非真券とに区別し、それらを一旦、一時保管庫にすべて収納した後、非真券を非真券回収庫に収納する制御を実行する紙幣取扱装置として構成してもよい。この場合、非真券収納庫は、金庫内外のいずれを問わず、搬送可能な種々の部位に設置して構わない。
【００２０】
この制御においては、例えば、紙幣を計数する際、即ち一時保管庫への収納時に紙幣の区別を記憶し、その記憶に基づき、非真券を非真券回収庫に収納してもよい。また、一時保管庫から非真券回収庫への収納時に、紙幣の区別について鑑別するようにしてもよい。
【００２１】
本発明は、上述した紙幣取扱装置の他、かかる紙幣取扱装置を利用した自動取引装置、紙幣取扱装置および自動取引装置の制御方法など、種々の態様で構成することが可能である。コンピュータによりこの制御を実現するためのコンピュータプログラムおよびこれを記録した記憶媒体として構成してもよい。ここで、記憶媒体としては、フレキシブルディスクやＣＤ−ＲＯＭ、ＤＶＤ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読取り可能な種々の媒体を利用できる。
【発明の効果】
【００２２】
本発明によれば、廃券収納庫とは別に、非真券収納庫を設けたため、非真券のみを分別して回収することができる。非真券収納庫は、金庫部外に設けられているため、回収は比較的容易である。非真券収納庫を鑑別部と一時保管庫をつなぐ区間で搬送路に接続することにより、両者間での搬送過程で、紙幣を非真券収納庫に分別収納することができる。
【発明を実施するための最良の形態】
【００２３】
以下、本発明の実施の形態について、以下の項目に分けて説明する。
Ａ．全体構成：
Ｂ．紙幣取扱装置：
Ｃ．機能ブロック：
Ｄ．動作モード：
Ｅ１．入金制御処理：
Ｅ２．入金制御処理の変形例：
Ｆ．出金制御処理：
Ｇ．変形例：
【００２４】
Ａ．全体構成：
図１は実施例としての現金自動取引装置２００の概略構成を示す説明図である。現金自動取引装置２００は、銀行などに設置され、ユーザの操作に応じて入出金処理を行うための装置である。
【００２５】
本実施例の現金自動取引装置２００（以下、ＡＴＭという）には、次のユニットが図示する配置で備えられている。カード取扱機構２０５は、いわゆるキャッシュカードなど磁気ストライプカードに記録された情報を読みとる。カードに記録された情報には、例えば、金融機関番号、科目、ユーザの口座番号などが含まれる。
【００２６】
操作部２０３は、入出金取引のための情報表示および入出金のための操作入力を行うためのユーザとのインタフェースである。本実施例では、タッチパネルを用いるものとしたが、ディスプレイと押しボタンスイッチなどの組み合わせで構成してもよい。
【００２７】
ユーザとの紙幣の授受は、紙幣入出金口２０７を通じて行われる。入金時には、ユーザが紙幣入出金口２０７に入れた紙幣は、内蔵された紙幣取扱装置１００によって、鑑別され、金種ごとに分類されて保管される。出金時には、紙幣取扱装置１００は、ユーザの指示した金額分の紙幣を繰り出し、紙幣入出金口２０７からユーザに受け渡す。明細票発行機構２０６は、これらの取引の内容を記録した明細票を発行する。
【００２８】
ＡＴＭ２００の各ユニットの動作は、制御ユニット２０２によって制御される。制御ユニット２０２は、内部にＣＰＵ、メモリを備えたマイクロコンピュータとして構成されている。制御ユニット２０２は、図中に矢印で示す通り、各ユニットと情報の授受を行い、ＡＴＭ２００全体の動作を制御する。制御ユニット２０２は、ホストコンピュータ３００と通信回線で接続されている。制御ユニット２０２が、取引に関する情報をホストコンピュータ３００に送信することにより、ユーザの口座への入出金などの処理がホストコンピュータ３００側で行われる。
【００２９】
Ｂ．紙幣取扱装置：
図２は紙幣取扱装置１００の概略構成を示す側断面図である。紙幣取扱装置１００は、入金された紙幣を、以後の出金に再利用する型、いわゆる環流型であり、金庫部１５０と上部ユニット１１０から構成されている。
【００３０】
金庫部１５０は、厚板の金属で覆われ、堅牢に構成されている。金庫部１５０には、出金に使用できる正常な紙幣（以下、「真券」と呼ぶ）を保管するための環流庫１７０〜１７２、損傷がひどいなど再使用に不適な真券（以下、「リジェクト券」と呼ぶ）を保管するリジェクトボックス１６０が備えられている。
【００３１】
環流庫１７０〜１７２に保管される金種は、環流庫単位で予め決められている。環流庫１７０には、庫内での紙幣の配列順序が混乱しないよう、紙幣を整然と保持するための可動式の押板１７０Ａが設けられている。他の環流庫１７１、１７２にも同様の押板が設けられている。
【００３２】
上部ユニット１１０の構造は次の通りである。入出金部１１１は、ユーザへの紙幣の授受を行うための空隙である。入出金部１１１の入り口には、シャッタ１１６が設けられている。このシャッタ１１６は先に説明したＡＴＭ２００の紙幣入出金口２０７と連動して自動的に開閉する。
【００３３】
鑑別部１２６は各紙幣について、金種、真偽を鑑別し、その結果を出力する。鑑別は、紙幣をスキャンして得られる画像データ、磁気特性、紫外線などに対する光学特性など種々の情報を利用して行うことができる。
【００３４】
上部ユニット１１０内には、入出金の過程で紙幣を一時的に保管する一時保管庫１２２が用意されている。一時保管庫１２２は、搬送された順に紙幣を保管し、その逆の順序で紙幣を繰り出すことができる。本実施例では、回転ドラムの周囲に巻き付けるベルトによって紙幣を保持する機構を利用した。
【００３５】
上部ユニット１１０には、更に、鑑別部１２６によって、偽券と判断された紙幣、および真偽が断定できない不明券（以下、両者を総称して「非真券」と称する）を収納するための非真券収納庫１２４が用意されている。本実施例では、非真券収納庫１２４も、環流庫と同様、紙幣を整然と収納できるよう押板を備える構造を適用した。雑然と紙幣を収納する単純な箱としても構わない。
【００３６】
紙幣取扱装置１００内での紙幣の搬送は、搬送部１４０によって行われる。搬送部１４０は、ローラ、ベルトなどの搬送機構を利用して、紙幣を搬送するための機構である。搬送部１４０の経路には、紙幣の搬送先を切り換えるためのゲートが設けられている。ゲート１４１は、一時保管庫１２２と入出金部１１１との切り換えを行う。ゲート１４２は、搬送先を非真券収納庫１２４に切り替える。ゲート１４３は、搬送先をリジェクトボックス１６０に切り換える。ゲート１４４、１４５は、搬送先を各環流庫１７０〜１７２に切り換える。
【００３７】
図示を省略したが、紙幣取扱装置１００の内部には制御ユニットが備えられている。制御ユニットは、内部にＣＰＵ、メモリを備えるマイクロコンピュータとして構成されており、予め用意されたプログラムに従って、紙幣取扱装置１００の動作を制御する。
【００３８】
Ｃ．機能ブロック：
図３はＡＴＭ２００の機能ブロックを示す説明図である。図中の各機能ブロックは、制御ユニット２０２内に、それぞれソフトウェア的に構築されている。これらの機能ブロックは、ハードウェア的に構成することも可能である。
【００３９】
ＡＴＭ２００の機能ブロックは、主制御部１０４の制御下で、それぞれ次の機能を奏する。通信部１０２は、ホストコンピュータ３００との通信を制御する。鑑別実行部１０１は、鑑別部１２６を用いて、紙幣の鑑別を行う。入出金制御部１０３は、入出金時の紙幣の搬送を制御する。インタフェース制御部１０５は、操作部２０３への画面提示、ユーザによる操作の入力を行う。カード、通帳取扱制御部１０７は、キャッシュカード、通帳などから、取引対象となる金融機関番号、科目、ユーザの口座番号を入力し、通帳への記帳を行う。
【００４０】
保管庫データベース（ＤＢ）１０６は、ＡＴＭ２００は、各保管庫に収納されている紙幣について、紙幣単位で出所情報等を記録する。非真券保管庫１２４の紙幣についても紙幣単位で出所情報を記録する。従って、保管庫ＤＢ１０６を参照することにより、比較的容易に、非真券の出所を特定することが可能となる。
【００４１】
図４は保管庫ＤＢのデータ構造を示す説明図である。説明の便宜上、環流庫１７０〜１７２として、一万円札、五千円札、千円札をそれぞれ保管するための万円庫、五千円庫、千円庫を備える場合を例示した。保管庫ＤＢは、アドレス情報管理データと、鑑別結果管理データの２種類から構成される。アドレス情報管理データは、鑑別結果が格納されるメモリのアドレス情報を、一時保管庫、万円庫、五千円庫、千円庫、リジェクトボックス、非真券収納庫に保管される紙幣ごとに対応づけて管理するデータである。図の例では、一時保管庫の１枚目の紙幣に対応するデータはアドレス「０００１」に保管されていることになる。１枚目とは、各保管庫に最初に搬入された紙幣を意味する。
【００４２】
各保管庫は、後から搬入された紙幣が先に搬出される構造となっているため、アドレス情報管理データはスタック型で管理される。つまり、各保管庫に紙幣が搬入される度に、アドレスの格納領域は「１枚目、２枚目...ｎ枚目」と増加し、紙幣が搬出される度に、アドレスの格納領域は「ｎ枚目...２枚目、１枚目」と低減する。アドレスの格納領域は、保管庫ごとにスタックポインタ、即ち各保管庫に何枚の紙幣が保管されているかを示すデータによって管理される。
【００４３】
アドレス情報管理データは、鑑別結果管理データのうち、空いている領域のアドレス情報も併せて管理する。空きアドレス領域には、「１枚目、２枚目...ｎ枚目」という概念は存在しないが、本実施例では、データベース構造の簡素化を図るため、保管庫と同様、スタック型で管理するものとした。
【００４４】
鑑別結果管理データは、各紙幣の鑑別結果を記憶するデータである。本実施例では、金種、真偽、正損、表裏を、鑑別結果として記憶する。また、鑑別結果と併せて出所情報も記憶するものとした。出所情報とは、紙幣を搬入した顧客を特定するための情報であり、本実施例では、入金処理時にキャッシュカード等を通じて取得された口座番号を用いた。管理者によって紙幣取扱装置１００に収納された紙幣など口座番号等を特定できない紙幣については、出所情報無しとしてもよいし、「不明」、または収納されていた環流庫を特定する情報を、出所情報として記録してもよい。
【００４５】
鑑別結果管理データは、紙幣ごとにこれらの情報を管理する。例えば、図の例では、アドレス「０００１」で代表されるメモリ領域には、「金種＝１万円、真偽＝真、正損＝正、表裏＝表、出所情報＝００００００１」という鑑別結果が記憶されている。ここでは、図示の便宜上、記憶されるべき鑑別結果を文字で表現したが、各項目のデータは、それぞれ符号化して記憶すればよい。
【００４６】
本実施例では、鑑別結果として「不明」または「不確定」という出力を許容するものとした。例えば、真偽鑑別によって、明確に真券または偽券と判断できない紙幣については、「不明券」という結果が出力され、鑑別結果管理データに登録される。先に説明した通り、本実施例では、「偽券」と「不明券」を併せて非真券として同等に扱うが、両者で異なる扱いを行っても良い。
【００４７】
紙幣の搬送が行われた場合のデータの管理について説明する。図中に例示するように、一時保管庫の１枚目、２枚目および五千円庫の１枚目に紙幣が保管されている場合を考える。先に説明した通り、各紙幣についての鑑別結果は、アドレス情報管理データで示されるアドレスに対応したメモリ領域に保管されている。
【００４８】
この状態において、一時保管庫の２枚目の紙幣は非真券収納庫に搬出され、１枚目の紙幣は万円庫に搬出されるものとする。アドレス情報管理データでは、この搬出に併せて、一時保管庫の２枚目の領域に格納されていたアドレス情報「０００２」が、非真券収納庫の１枚目の領域に移行される。一時保管庫の１枚目の領域に格納されていたアドレス情報「０００１」が、万円庫の１枚目の領域に移行される。
【００４９】
次に、五千円庫から紙幣が出金された場合を考える。出金された場合には、保管庫間の移動とは異なり、鑑別結果の管理が不要となる。従って、出金された紙幣に相当するアドレス「０００３」に格納されているデータを鑑別結果管理データから削除する。これと併せて、アドレス情報管理データでは、空いたアドレス情報「０００３」を空きアドレスを管理する領域に移行する。
【００５０】
このように、本実施例の保管庫ＤＢでは、アドレス情報を移行させることにより、鑑別結果のデータ全体を移行させるまでなく、保管庫間での紙幣の移動に併せて鑑別結果を比較的容易に管理することができる。保管庫ＤＢは、ここで例示した構造に限定されるものではなく、各保管庫の紙幣に対応づけて鑑別結果を管理可能な種々の構造を適用可能である。各保管庫の紙幣に対応づけられた固定の領域を用意し、鑑別結果を示すデータ自体を移動させてもよい。本実施例では、各保管庫における紙幣の配列と対応づけて鑑別結果を管理する態様を例示したが、両者の対応づけが可能であれば、いかなる方法で鑑別結果を管理しても構わない。
【００５１】
Ｄ．動作モード：
図５は紙幣取扱装置１００の動作モードを示す説明図である。図の上段には入金時の紙幣の搬送状態、下段には出金時の紙幣の搬送状態を模式的に示した。
【００５２】
入金時には、利用者によって入出金部１１１に挿入された紙幣は、矢印ａ１〜ｃ１に示す通り、鑑別部１２６を通過し、鑑別された後、一時保管庫１２２に収納される。鑑別によってリジェクト券と判断された紙幣については、矢印ｄ１に示す通り、入出金部１１１に返却される。非不明券については、本実施例では、一時保管庫１２２に収納するものとした。ＡＴＭ２００は、この鑑別時によって、入金された紙幣の金種および枚数を特定し、金額を計算する。ここまでの動作を入金計数と称する。
【００５３】
次に、利用者が、タッチパネルに表示された金額を確認し、入金指示を行うと、紙幣取扱装置１００は、矢印ｅ１、ｇ１、ｈ１に示す通り、一時保管庫１２２から紙幣を繰り出し、鑑別部１２６を介して各環流庫に紙幣を保管する。この動作を入金収納と呼ぶ。一時保管庫１２２に保管されていた非真券は、入金収納時に、矢印ｆ１に示す通り、非真券収納庫１２４に収納される。鑑別部１２６は、入金収納時にも紙幣の鑑別を行い、リジェクト券が発券された場合、その紙幣は、リジェクトボックス１６０に収納するよう搬送制御を行う。入金収納の過程で非真券が発見された場合、その紙幣は、そのまま環流庫に保管し、後述する出金時の処理によって非真券収納庫１２４に移送する。
【００５４】
出金時には、ＡＴＭ２００は、利用者が指定した金額に応じて出金すべき金種および枚数を特定し、各環流庫から紙幣を繰り出す。この紙幣は、図中の矢印ａ２〜ｃ２で示す通り、鑑別部１２６を介して入出金部１１１に出金される。この動作を出金処理と称する。鑑別部１２６は、出金処理時にも紙幣の鑑別を行う。この鑑別によって非真券が発見された場合、その紙幣は、図中の矢印ｄ２で示す通り、一時保管庫１２２に保管し、出金処理が完了した後、矢印ｅ２、ｆ２で示す通り非真券収納庫１２４に移送する。
【００５５】
紙幣取扱装置１００は、出金時と類似の搬送は、入金収納時に非真券が発見され、環流庫に収納された場合にも実行する。紙幣取扱装置１００は、非真券が環流庫に収納された場合には、矢印ａ２、ｂ２、ｄ２に示す通り、非真券が収納された各環流庫から紙幣を順次繰り出し、一時保管庫１２２に収納する。この繰り出しは、環流庫内に非真券がなくなるまで行う。この時点で、一時保管庫１２２には、真券と非真券が混在していることになる。環流庫から一時保管庫１２２への搬送時に、鑑別部１２６は紙幣の鑑別を行ってもよいし、省略してもよい。
【００５６】
一時保管庫１２２への搬送が完了すると、紙幣取扱装置１００は、一時保管庫１２２から紙幣を繰り出し、非真券は、矢印ｅ２、ｆ２に示す通り、非真券収納庫１２４に収納する。真券については、入金収納時と同様、各環流庫に再保管する。
【００５７】
変形例として、紙幣取扱装置１００では、鑑別部１２６と一時保管庫１２２の間の搬送路に、鑑別部１２６から非真券収納庫１２４への収納を実現するための補助的な搬送路またはゲート構造を設けてもよい。こうすることにより、環流庫から繰り出した非真券を、図中の矢印ｇ２に示すように、一時保管庫１２２を介さずに、鑑別部１２６から直接、非真券収納庫１２４に収納することが可能となる。
【００５８】
また、上記構造を有する場合には、入金計数時に発見された非真券を、一時保管庫１２２に収納することなく、直接、非真券収納庫１２４に収納することが可能となる。但し、この場合には、鑑別部１２６を通過した紙幣が、非真券収納庫１２４への分岐に至るまでに、鑑別結果を出すことが要求される。この要求を満足するため、鑑別部１２６での処理時間に併せて、紙幣の搬送速度を低く設定したり、鑑別部１２６から分岐までの搬送路を長く設計したりする必要が生じる。本実施例における搬送制御、即ち、非真券を一時保管庫１２２に一旦収納した後、非真券収納庫１２４に移送する制御では、かかる時間的制約が不要となるため、搬送速度の低下、装置の大型化などの弊害を回避することができる。
【００５９】
Ｅ１．入金制御処理：
図６は入金制御処理のフローチャートである。利用者が「預け入れ」、「現金での振り込み」など、入金を伴う取引を選択した時に、制御ユニット２０２が実行する処理である。少なくとも一部の処理を、紙幣取扱装置１００の制御ユニットで実現するものとしてもよい。
【００６０】
この処理が開始されると、制御ユニット２０２は、キャッシュカードから顧客の口座番号など取引に必要な情報を読み込む（ステップＳ１０）。次に、入出金部１１１から紙幣を取り込み、鑑別し（ステップＳ１１）、その結果に基づき、紙幣の搬送を制御する（ステップＳ１２）。先に説明したとおり、リジェクト券については入出金部１１１に返却し、その他の紙幣につては一時保管庫１２２に収納する。これらの処理と併せて、計数結果の表示を行う（ステップＳ１３）。ステップＳ１１〜Ｓ１３の処理は、利用者が入金指示を行うまで繰り返し行われる（ステップＳ１４）。この処理過程で、鑑別結果は、保管庫ＤＢ１０６に格納される。
【００６１】
利用者が表示された金額を確認して、入金指示を行うと（ステップＳ１４）、制御ユニットは入金収納処理を行う（ステップＳ２０）。この処理内容については、後で説明する。
【００６２】
以上の処理で、非真券が発見された場合（ステップＳ４０）、制御ユニット２０２は、所定の通知先、例えば、金融機関の責任者などに対して、ネットワークその他の通信回線を通じて、通知を行う（ステップＳ４１）。この通知により、非真券を投入した利用者の特定などを迅速に行うことができる。
【００６３】
非真券が発見されない場合には（ステップＳ４０）、制御ユニット２０２は、キャッシュカードを返却して（ステップＳ４２）、取引を完了する。このように入金収納が完了するまで、キャッシュカードの返却を遅らせることにより、利用者をＡＴＭ２００の所に留めることができ、非真券が発見された場合の迅速な対応を可能とすることができる。
【００６４】
キャッシュカードを返却するタイミングは、上述の実施例に限定されず、種々の設定が可能である。例えば、入金計数時（ステップＳ１１）に、非真券が発見されなかった場合には、入金指示（ステップＳ１４）がなされた時点で、入金収納処理（ステップＳ２０）と並行して、キャッシュカードを返却してもよい。入金計数時（ステップＳ１１）に非真券が発見された場合には、図６に示したタイミングでキャッシュカードの返却を行えばよい。このような処理を適用すれば、非真券が発見されなかった場合には、取引を早期に完了することができる利点がある。
【００６５】
図７は入金収納処理のフローチャートである。図６のステップＳ２０における処理に相当する。制御ユニット２０２は、一時保管庫１２２から紙幣を繰り出す（ステップＳ２１）。非真券である場合には（ステップＳ２２）、制御ユニット２０２は、ゲート１４２を制御して、非真券収納庫に収納する（ステップＳ２３）。
【００６６】
非真券でない場合には、環流庫への収納を行う。この過程で、鑑別部１２６を通過するため、制御ユニット２０２は、鑑別を実行する（ステップＳ２４）。この鑑別は省略しても構わない。
【００６７】
上記鑑別によって、リジェクト券が発見された場合には、制御ユニット２０２は、ゲート１４３を制御して、その紙幣をリジェクトボックス１６０に収納する（ステップＳ２７）。その他の紙幣については、非真券も含めて、金種に応じた環流庫１７０〜１７２に収納する（ステップＳ２６）。制御ユニット２０２は、一時保管庫１２２に保管されている全紙幣の繰り出しが完了するまで（ステップＳ２８）、以上の処理を繰り返し実行する。
【００６８】
繰り出しが完了すると、制御ユニット２０２は、環流庫に非真券が有るか否かを判断する（ステップＳ２９）。この判断は、例えば、保管庫ＤＢ１０６のデータを参照することにより行うことができる。
【００６９】
環流庫に非真券が存在しない場合には、制御ユニット２０２は入金収納処理を完了する。非真券が存在する場合には、制御ユニット２０２は、その環流庫から非真券がなくなるまで、一時保管庫に紙幣を移送し（ステップＳ３０）、その後、入金収納処理を再実行する。一時保管庫への移送対象となる環流庫および移送すべき枚数も、保管庫ＤＢ１０６を参照することにより容易に特定することができる。環流庫に保管されていた非真券は、ステップＳ２２、Ｓ２３の処理によって、非真券収納庫１２４に移送されることになる。
【００７０】
Ｅ２．入金制御処理の変形例：
上述の入金収納は、保管庫ＤＢ１０６を用いなくても実現可能である。例えば、制御ユニット２０２は、入金収納時の鑑別（ステップＳ２４）において、非真券が発見された場合に、非真券の存在を示すフラグを立てるようにしてもよい。制御ユニット２０２は、このフラグを参照することで、環流庫に非真券が有るか否かの判断（ステップＳ２９）を行うことができる。入金された紙幣の枚数は、入金計数処理によって確認されているから、ステップＳ３０では、入金された全紙幣を一時保管庫に移送すればよい。この移送時に鑑別を行うことにより、非真券を特定することができる。
【００７１】
Ｆ．出金制御処理：
図８は出金制御処理のフローチャートである。利用者が「引き出し」など、出金を伴う取引を選択した時に、制御ユニット２０２が実行する処理である。少なくとも一部の処理を、紙幣取扱装置１００の制御ユニットで実現するものとしてもよい。
【００７２】
この処理では、制御ユニット２０２は、指定された金額および枚数に応じて環流庫１７０〜１７２から紙幣を繰り出す（ステップＳ５１）。制御ユニット２０２は、鑑別部１２６によって紙幣を鑑別し（ステップＳ５２）、非真券を一時保管庫へ移送し（ステップＳ５４）、真券を入出金部１１１へ移送する（ステップＳ５５）。制御ユニット２０２は、以上の処理を、指定された全紙幣の繰り出しが完了するまで繰り返し実行する。
【００７３】
繰り出しが完了して、一時保管庫１２２に非真券が存在する場合には（ステップＳ５７）、制御ユニット２０２は、その紙幣を非真券収納庫に移送する（ステップＳ５８）。ステップＳ５７の判断は、保管庫ＤＢ１０６を参照して行うことができる。保管庫ＤＢ１０６に代えて、非真券の有無を示すフラグを用いても良い。
【００７４】
Ｇ．変形例：
実施例では、入金収納時に、鑑別部１２６を通過する構造を例示した。本発明は、入金収納時に鑑別部１２６を通過せずに環流庫に紙幣を収納するよう搬送路が構成された紙幣取扱装置にも適用可能である。また、非真券収納庫を金庫内に設けた構成に適用することも可能である。
【図面の簡単な説明】
【００７５】
【図１】実施例としての現金自動取引装置２００の概略構成を示す説明図である。
【図２】紙幣取扱装置１００の概略構成を示す側断面図である。
【図３】ＡＴＭ２００の機能ブロックを示す説明図である。
【図４】保管庫ＤＢのデータ構造を示す説明図である。
【図５】紙幣取扱装置１００の動作モードを示す説明図である。
【図６】入金制御処理のフローチャートである。
【図７】入金収納処理のフローチャートである。
【図８】出金制御処理のフローチャートである。
【符号の説明】
【００７６】
１００...紙幣取扱装置
１０２...通信部
１０３...入出金制御部
１０４...主制御部
１０５...インタフェース制御部
１０６...保管庫データベース
１０７...カード、通帳取扱制御部
１０８...鑑別実行部
１１０...上部ユニット
１１１...入出金部
１１６...シャッタ
１２２...一時保管庫
１２４...非真券収納庫
１２６...鑑別部
１４０...搬送部
１４１〜１４４...ゲート
１５０...金庫部
１６０...リジェクトボックス
１７０〜１７２...環流庫
１７０Ａ...押板
２００...現金自動取引装置
２０２...制御ユニット
２０３...操作部
２０５...カード取扱機構
２０６...明細票発行機構
２０７...紙幣入出金口
３００...ホストコンピュータ
【図１】
2005092422.tif 000003
【図２】
2005092422.tif 000004
【図３】
2005092422.tif 000005
【図４】
2005092422.tif 000006
【図５】
2005092422.tif 000007
【図６】
2005092422.tif 000008
【図７】
2005092422.tif 000009
【図８】
2005092422.tif 000010